(57)【要約】【課題】  木材の乾燥にて生じる割れの防止、多くの材断面に対応し、過大な設備を必要とせずに簡便な加工で接合強度を確保、接合金物が取り付けられた状態での搬送し易い小型形状の接合金物を提供する。【解決手段】  接合金物の役割により、受支側接合金物と被受支側接合金物に分割し構造軸組材からの突出を最小限に止め、接合孔の形状により材同士の引き寄せ効果を生じさせ接合強度、接合金物を取り付けた状態での搬送性能の向上を図った。【選択図】図−５
2007154638.tif 000002
【特許請求の範囲】
【請求項１】
木造建築物に於ける軸組構造材接合部の構造材の仕口部分を金属製の受仕材側接合金物と被受支材側接合金物で構成し、受支材側接合金物は、金属製接合棹の打設時に引き寄せ機能を有する円形と三角形を組み合わせた接合孔を持ち、被受支材側接合金物は材成対応調整機能を持つ調整板とで構成される軸組構造材の接合装置。
【請求項２】
接合部を構成するために設けた被受支材側のスリットに被受支接合金物を挿入し、更に材成調整板を被受支接合金物本体に挿入し木材の反りを矯正し、木口接合部の強度を補完、受支材側、被受支材側接合金具同士を金属製接合棹により直接緊結する軸組構造材同士の接合装置。
【請求項３】
軸組構造材同士の接する材同士の上端面の高さを同一に揃え、且つ耐力を補完し、軸組構造材断面寸法に対応する調整機能と金属の弾性変形性能を利用した金属同士のガタツキ防止機能。
【請求項４】
柱材には、乾燥による自然割裂を最小限にとどめるため、人為的に背割れ処理を施してある軸組材があるが、割れが大きくなると柱材の強度も低下をきたすため、この割れを最小限に止める割裂防止連結座金。
【発明の詳細な説明】
【技術分野】
【０００１】  本発明は、木造建築物の軸組構造材の接合部を簡便且つ高強度に構成し、接する軸組構造材同士の上端面を同一水平面に揃え、軸組構造材を下端面から支持する木造軸組工法の接合装置に関するものである。
【背景技術】
【０００２】  木造軸組工法に於ける軸組構造材の接合部である仕口は、木材を加工して形成した蟻、鎌といった形状のものに代表されるが、古来この接合部を構成する仕口は大工職人による伝統的な技術に支えられてきた、近年職人の老齢化、後継者不足等から、大型機械を導入し、ＣＡＤ等のデータによりこの接合部（仕口）を成形するようになってきている。【０００３】  しかしながら、この接合部である仕口を加工するには、精度、強度は保証されるものの大掛かりな加工装置、ＣＡＤ等の設備、人材が必要であり莫大な先行投資が必要となる。【０００４】  大工職人による手加工を行なったにしても人的な原因により、必ずしもその精度や強度は保証されるものではなく、最近では都市部の多くに於いては、この機械加工による接合部無しには木造軸組工法による木造建物が建築出来ないといった現象も起きている。
【発明が解決しようとする課題】
【０００５】  斯様な状況を鑑み、大型の加工機に頼らず、ドリル、丸刃鋸等の比較的安価な機械装置を用い、蟻、鎌といった接合部形状を形成し接合部とするのではなく、金属製の接合金具に置き代え精度、強度を保証した高精度軸組構造材とその接合部である接合金物を安価に提供することである。
【課題を解決するための手段】
【０００６】  接合金物は、その役割を分析し、受支材側と被受仕材側に分割し夫々の軸組構造材にボルトとナット、金属製接合棹等を用い固定する。
【０００７】  受支材側の接合金具は平行に設置されたボルト二本により取り付け固定しておくが、背割れのある柱材の場合、乾燥によりその割れが更に広がる可能性があり、それを防止するため座金の中心部を凸型に折曲し、縦方向の支圧部分を増すための折曲部を有する連結座金を介しボルトとナットの螺合により受支材に固定する。
【０００８】  被受支材側の接合金物は軸組構造材（横架材）木口に加工により形成されたスリットに嵌め込まれ、その嵌め込まれている接合金物には材成対応用の受け部を持った支持板が嵌め込まれ共通の金属製接合棹と材成調整板の背側の突起で固定され一体となって荷重を負担している。
【発明の効果】
【０００９】  これ等の接合金物の取り付けられた軸組構造材同士を組み合わせ、事前に開けられた接合孔に金属製の接合棹を打ち込むことにより接合金物同士が緊結される。
この時、受支材側の接合金物に設けられた半円形と三角形を組み合わせた孔の斜辺部分に打ち込まれた金属製接合棹が接することにより、被受支側の軸組構造材である横架材が受仕側の接合金物が取り付けられた軸組構造材に引き寄せられ、強力な接合効果を生む。
【００１０】  更に、接合金物を受支材側と被受支材側に分割することにより、接合金物を小型化することが出来、事前に工場で取り付け搬送する事も可能となった。
【実施例】
【００１１】  図面は本発明に係る木造軸組工法の接合部の実施例で図中１は軸組構造材である受支材（柱）であり、２は同様に被受支材、Ｄは受支側接合金物、Ａは被受支材側接合金物、Ｂは材成調整板である。【００１２】  受支側接合金物は受支材である軸組構造材（柱、梁）に直接ボルト、ナットｄにより螺合固定されている。
被受支側接合金物Ａは、被受支材である軸組構造材２の木口に材成調整板Ｂと共に嵌入され、金属製接合棹ｆ，ｆ’，ｆ”にて固定されている。【００１３】  受支側接合金物Ｄを取り付ける軸組構造材１には、受支接合金物Ｄの軸組構造材に落し込まれる受支接合金物Ｄの取り付け固定部分ｂと同形状の楕円形の掘り込みがされ、受支接合金物Ｄが落し込まれており、被受支軸組構造材２の被受支接合金物スリット部に嵌入設置されると、下部壁面ｋに接している受支接合金物の折曲部分ｊが、受支側接合金物Ｄに掛る加圧剪断力を固定用ボルトｄと共に負担し、接合部を構成している受支側軸組構造材１にその加圧剪断力を伝達している。【００１４】  被受支側接合金物Ａは材成調整板Ｂと共に被受支側軸組構造材２の木口に形成された嵌入用スリット内に挿入され金属製固定棹ｆ，ｆ’，ｆ”にて固定されている。
受支側接合金物Ｄの突出部分を軸組構造材２の木口に挿入されている被受支側接合金物Ａの空間に嵌入させ、金属製接合棹ｅを軸組構造材に開けられた打ち込み用孔から順次打ち込み受支側接合金物Ｄと被受支側接合金物Ａを緊結する。【００１５】  この時、受支接合金物Ｄに開けられた円形と三角形を組み合せた複合形状接合孔ｍの斜辺部分Ｌに金属製接合棹ｅの外周が接し、受支材側に被受支材２を引き寄せることにより軸組構造材同士を密着させる。【００１６】  受支側接合金物Ｄと被受支側接合金物Ａは金属同士が直接、金属製接合棹ｅ、ｅ’により緊結され一体の接合部を構成、材成調整板Ｂの底部の材受け部分ｉも一体となって軸組構造材に掛る加圧剪断力を負担する。
【図面の簡単な説明】
【００１７】
【図−１】割裂防止連結座金
【図−２】受支材側接合金物斜視図
【図−３】被受支材側接合金物斜視図
【図−４】材成調整板斜視図
【図−５】接合状態の縦断面図
【符号の説明】
【００１８】１              軸組構造材（柱）
２              軸組構造材（梁）
Ａ              被受支材側接合金物
Ｂ              材成調整板
Ｃ              割裂防止連結座金
Ｄ              受支材側接合金物
ｂ              受支材側接合金物底部
ｄ              受支材側接合金物固定ボルト
ｅ              金属製接合棹
ｆ，ｆ’，ｆ”  被受支材側接合金物取り付け固定用接合棹
ｇ              材成調整板固定突起
ｈ，ｈ’，ｈ”  材成調整板突起受け
ｉ              材成調整板材受け
ｊ              受支側接合金物折曲部
ｋ              受支接合金物取り付け孔下部壁面
ｍ              受支側接合金物の複合形状接合孔
【図−１】
2007154638.tif 000003
【図−２】
2007154638.tif 000004
【図−３】
2007154638.tif 000005
【図−４】
2007154638.tif 000006
【図−５】
2007154638.tif 000007